(57)【要約】【課題】利便性を向上できる履歴情報処理装置を提供する。【解決手段】画像処理の指示を受信して、当該指示に基づく処理履歴情報を生成するとともに、当該指示によって処理される画像の少なくとも一部に基づいて、保存用画像を生成するし、これら処理履歴情報と保存用画像とを関連づけてデータベースに保持させる。このデータベースに保持された情報に基づいて、処理履歴情報の一覧情報を生成する際に、当該一覧情報に含める処理履歴情報の少なくとも一部について、それぞれに関連づけられた保存用画像を含めて、一覧情報を生成する。【選択図】図１
2008060717.tif 000002
【特許請求の範囲】
【請求項１】
画像処理の指示の入力を受けて、当該指示に基づく処理の履歴である処理履歴情報を生成する手段と、
前記指示によって処理される画像の少なくとも一部に基づいて、保存用画像を生成する手段と、
前記生成した処理履歴情報と保存用画像とを関連づけて保持させる履歴情報保持手段と、
前記履歴情報保持手段に保持された情報に基づいて、処理履歴情報の一覧情報を生成する手段と、
を含み、
前記処理履歴情報の一覧情報を生成する手段が、当該一覧情報に含める処理履歴情報の少なくとも一部について、それぞれに関連づけられた保存用画像を含めて、前記一覧情報を生成することを特徴とする履歴情報処理装置。
【請求項２】
請求項１に記載の履歴情報処理装置であって、
前記処理履歴情報の一覧情報を生成する手段が、当該一覧情報に含める処理履歴情報の少なくとも一部を、予め定められた条件に基づいて選択し、選択した処理履歴情報に関連づけられた保存用画像を含めて、前記一覧情報を生成することを特徴とする履歴情報処理装置。
【請求項３】
コンピュータに、
画像処理の指示の入力を受けて、当該指示に基づく処理履歴情報を生成する手順と、
前記指示によって処理される画像の少なくとも一部に基づいて、保存用画像を生成する手順と、
前記生成した処理履歴情報と保存用画像とを関連づけてデータベースに保持させる手順と、
前記データベースに保持された情報に基づいて、処理履歴情報の一覧情報を生成し、当該一覧情報に含める処理履歴情報の少なくとも一部について、それぞれに関連づけられた保存用画像を含める手順と、
を実行させることを特徴とするプログラム。
【発明の詳細な説明】
【技術分野】
【０００１】
本発明は、履歴情報処理装置に関する。
【背景技術】
【０００２】
プリンタやスキャナ、ファクシミリなどの画像処理を行う装置で実行された処理（ジョブ）を記録しておき、情報の流通経路などを特定しようとする技術が注目されている。
【０００３】
こうしたジョブの記録を行う装置においては、画像処理の指示を行った利用者を特定する情報や、画像処理指示を受け入れた日時、画像処理指示の内容（たとえば印刷部数、スキャン画像の出力先、ファクシミリ送信先など）をジョブ履歴として記録するとともに、各ジョブ履歴に関連づけて、当該ジョブによって処理される画像データ（画像履歴）を併せて記録するものがある。
【０００４】
特定の画像が処理された際の記録を見いだしたい場合、利用者は、当該特定の画像（検索キーとなる画像）に類似する画像データを、画像履歴から検索し、検索によって見いだされた画像データに関連づけられているジョブ履歴を出力させる。ここで画像履歴中の画像データの検索は、広く知られている類似画像検索処理によって行われる。例えば、検索キーとなる画像に係る所定の特徴量ベクトルと、検索の対象となる画像履歴中の各画像データに係る所定の特徴量ベクトルとの差に基づいて、この差が、予め定めたしきい値未満となっている画像データを、検索結果とする方法などがある。
【特許文献１】特開２００４−２０８０４８号公報
【発明の開示】
【発明が解決しようとする課題】
【０００５】
しかしながら、こうした検索の結果の提示においては、ジョブ履歴の一覧が表示等されるに止まっているのが現状である。利用者は従って、類似画像検索によって検索された結果が、検索キーとなる画像と真に一致しているのか否かを、このジョブ履歴の一覧からは確認できず、利便性が低い。なお、特許文献１には、情報漏洩を防止する技術の例が開示されている。
【０００６】
本発明は上記実情に鑑みて為されたもので、利便性を向上できる履歴情報処理装置を提供することを、その目的の一つとする。
【課題を解決するための手段】
【０００７】
上記従来例の問題点を解決するための履歴情報処理装置は、画像処理の指示の入力を受けて、当該指示に基づく処理の履歴である処理履歴情報を生成する手段と、前記指示によって処理される画像の少なくとも一部に基づいて、保存用画像を生成する手段と、前記生成した処理履歴情報と保存用画像とを関連づけて保持させる履歴情報保持手段と、前記履歴情報保持手段に保持された情報に基づいて、処理履歴情報の一覧情報を生成する手段と、を含み、前記処理履歴情報の一覧情報を生成する手段が、当該一覧情報に含める処理履歴情報の少なくとも一部について、それぞれに関連づけられた保存用画像を含めて、前記一覧情報を生成することを特徴としている。
【０００８】
ここで、前記処理履歴情報の一覧情報を生成する手段が、当該一覧情報に含める処理履歴情報の少なくとも一部を、予め定められた条件に基づいて選択し、選択した処理履歴情報に関連づけられた保存用画像を含めて、前記一覧情報を生成することとしてもよい。
【０００９】
また、本発明の一態様に係るプログラムは、コンピュータに、画像処理の指示の入力を受けて、当該指示に基づく処理履歴情報を生成する手順と、前記指示によって処理される画像の少なくとも一部に基づいて、保存用画像を生成する手順と、前記生成した処理履歴情報と保存用画像とを関連づけてデータベースに保持させる手順と、前記データベースに保持された情報に基づいて、処理履歴情報の一覧情報を生成し、当該一覧情報に含める処理履歴情報の少なくとも一部について、それぞれに関連づけられた保存用画像を含める手順と、を実行させることを特徴としている。
【発明を実施するための最良の形態】
【００１０】
本発明の実施の形態について図面を参照しながら説明する。本発明の実施の形態に係る履歴情報処理装置１は、例えばスキャナ、複写機、プリンタの各機能を複合的に提供する、いわゆる複合機であり、図１に示すように、制御部１１、記憶部１２、ストレージ部１３、操作部１４、スキャナ部１５、プリンタ部１６、及び通信部１７を含んで構成されている。また、この履歴情報処理装置１は、ネットワークを介して少なくとも一つのユーザ側装置２に接続されている。
【００１１】
制御部１１は、ＣＰＵ等のプログラム制御デバイスであり、記憶部１２に格納されているプログラムに従って動作している。本実施の形態では、この制御部１１が、画像形成指示を行った利用者を特定する情報や、画像形成指示を受け入れた日時、画像形成指示に含まれる形成条件（形成部数など）をジョブ履歴として記録するとともに、各ジョブ履歴に関連づけて、当該ジョブによって形成される画像データ（画像履歴）を併せて記録する。また、この制御部１１は、処理履歴情報の一覧情報を生成する処理を行う。こうした制御部１１の処理の内容については後に述べる。
【００１２】
記憶部１２は、ＲＡＭ（Random Access Memory）やＲＯＭ（Read Only Memory）などの記憶素子を含んで構成される。この記憶部１２には、制御部１１によって実行されるプログラムが格納されている。また、この記憶部１２は、制御部１１のワークメモリとしても動作する。
【００１３】
ストレージ部１３は、例えばハードディスクなどのデバイスであり、本実施の形態においては、ジョブ履歴や、画像履歴などを保持するデータベースとして動作する。操作部１４は、液晶タッチパネルや、テンキーなどのキーパッドなどを含んで構成される。この操作部１４は、利用者が行った操作の内容を制御部１１に出力する。
【００１４】
スキャナ部１５は、例えばフラットベッドスキャナであり、読み取り面に置かれた原稿を光学的に読み取って、その画像データを生成し、制御部１１に出力する。プリンタ部１６は、制御部１１から入力される指示に従って、用紙上に画像を形成する。
【００１５】
通信部１７は、ネットワークインタフェースなどであり、制御部１１から入力される指示に従って、ネットワークを介し、指定された宛先へ指定されたデータを送信する。また、この通信部１７は、ネットワークを介して受信されるデータを制御部１１に出力する。
【００１６】
ユーザ側装置２は、例えばパーソナルコンピュータであり、形成の対象となる画像データと、形成の指示とを履歴情報処理装置１へ送出する。
【００１７】
本実施の形態においては、制御部１１は、原稿を読み取る旨の画像処理指示を受けて、スキャナ部１５にて読み取った原稿の画像データをユーザ側装置２へ送信する処理（スキャン処理）や、複写をするべき旨の画像処理指示を受けて、スキャナ部１５にて読み取った原稿の画像データを、プリンタ部１６へ出力して印刷出力させる処理（複写処理）、さらに、ユーザ側装置２から画像を形成処理するべき旨の画像処理指示を受信して、形成の対象となる画像データをプリンタ部１６へ出力して印刷出力させる処理（印刷処理）を行う。
【００１８】
制御部１１は、画像処理指示が入力される際に、当該画像処理指示を入力した利用者を認証してもよい。例えばスキャン処理や、複写処理に関わる指示を受け入れる場合は、予め利用者名など利用者を特定する情報に、パスワードなどを関連づけて記憶部１２に保持しておき、画像処理指示の入力を行う際に、利用者に対して、操作部１４において利用者名やパスワードなどの入力を求める。そして、入力された利用者名とパスワードが、記憶部１２において互いに関連づけられて保持されているか否かを調べ、記憶部１２において互いに関連づけられて保持されていなければ画像処理指示を受け入れず、または画像処理指示に従った処理を実行しないよう制御する。
【００１９】
また、入力された利用者名とパスワードが、予め記憶部１２において互いに関連づけられて保持されていれば、画像処理指示を受け入れて、当該指示に従って処理する。印刷処理の画像処理指示の場合は、ユーザ側装置２において認証された利用者名などを、画像処理指示として受け入れることとすればよい。
【００２０】
ここで例えばゲストユーザなど、パスワードなしに画像処理指示を入力可能な利用者を設定してもよい。この場合は例えばゲストユーザを表す利用者名が入力されたと判断されると、制御部１１は、パスワードに関する情報を参照することなく、画像処理指示を受け入れて、当該指示に従って処理する。
【００２１】
なお制御部１１は、例えば画像処理指示として、画像形成の部数（複写や印刷の部数）など形成の条件（カラー・白黒の別、用紙サイズの指定など）が含まれていれば、制御部１１は、プリンタ部１６に対してこれらの形成の条件を出力し、当該条件に従って画像の形成を行うよう指示する。
【００２２】
制御部１１は、こうして行った画像処理の内容や処理結果に関わる履歴情報（処理履歴情報）や、画像処理指示によって処理の対象となった画像データ（スキャン処理であれば読み取られた画像データ、複写や印刷処理であれば、画像形成の対象となる画像データ）に基づく画像を履歴情報（保存用画像）として生成する。この制御部１１による履歴情報の生成処理により、本実施の形態の履歴情報処理装置１は、機能的に、図２に示す構成を備えたものとして動作することとなる。
【００２３】
すなわち、図２に示すように、本実施の形態の履歴情報処理装置１は、機能的に、処理履歴情報生成部２１と、保存用画像生成部２２と、データベースアクセス部２３と、レポート生成処理部２４とを含む。また、ここでレポート生成処理部２４は、画像出力条件設定部３１と、出力対象画像選択部３２と、レポート画像生成部３３とを含んで構成される。
【００２４】
なお、以下の説明では、履歴情報処理装置１は、画像処理指示が入力されると、各指示に対して固有のジョブ識別子を発行するものとする。
【００２５】
処理履歴情報生成部２１は、実行された画像処理に関する情報から、処理履歴情報として記録するべきものとして予め定められている情報を抽出し、発行されたジョブ識別子とともに処理履歴情報としてデータベースアクセス部２３に出力する。ここでは、例えば、画像処理指示から、処理の種別（スキャン処理、複写処理、印刷処理の別）、画像処理指示を入力した利用者を特定する情報（指示者情報）や、画像処理指示の入力日時、形成条件（カラー・白黒の別や用紙サイズの指定など）等を抽出する。
【００２６】
保存用画像生成部２２は、画像処理の対象となる画像データまたは画像処理の結果である画像データに対して、所定のフォーマットに変換するなど所定の処理を施して、履歴として記録する画像データ（保存用画像）を生成する。そして保存用画像生成部２２は、この生成した保存用画像を対応するジョブ識別子とともに、データベースアクセス部２３に出力する。
【００２７】
データベースアクセス部２３は、処理履歴情報生成部２１から処理履歴情報の入力を受け、また保存用画像生成部２２から保存用画像の入力を受けると、それぞれ共通のジョブ識別子に関連する処理履歴情報と保存用画像とを関連づけてデータベースに格納する。本実施の形態では、ストレージ部１３に、図３に示すようなデータベースが格納される。具体的な例として、ここでは、形成指示者情報、画像形成指示の受信日時、形成条件などを含む処理履歴情報（Ａ）と、対応する保存用画像（Ｂ）とが関連づけて保持されている。
【００２８】
レポート生成処理部２４は、予め定められた書式のレポート情報を生成するものである。このレポート情報は、例えば、図４に示すように、指定された条件を満足する処理履歴情報の一覧（Ｌ）を含む。本実施の形態のレポート生成処理部２４では、この一覧（Ｌ）に含まれる処理履歴情報の一部について、それぞれに関連づけられた保存用画像に基づく画像をレポート情報に含めている。
【００２９】
すなわちレポート生成処理部２４の画像出力条件設定部３１は、一覧（Ｌ）に含まれる処理履歴情報のうち、関連する保存用画像に基づく画像を含める条件（出力対象画像選択条件）を、レポート生成を指示する利用者（レポート要求者）の指示に基づいて設定する。この出力対象画像選択条件としては、例えば、指示者情報によって特定される利用者が、認証されている（つまり、ゲストユーザでない）か否かなど、処理履歴情報に含まれる情報によって定められる条件としてもよいし、保存用画像が予め登録された画像に類似しているか否かなど、保存用画像に関する条件としてもよい。これらの条件については、後に述べる。画像出力条件設定部３１は、利用者が指定した出力対象画像選択条件をストレージ部１３に保持させる。
【００３０】
出力対象画像選択部３２は、一覧に含める処理履歴情報の各々について、処理履歴情報やそれに関連づけられた保存用画像が、画像出力条件設定部３１によって設定された出力対象画像選択条件を満足するか否かを調べ、満足する場合に保存用画像に基づく画像を含めるようレポート画像生成部３３に指示する。
【００３１】
レポート画像生成部３３は、利用者から履歴選択条件を受け入れて、ストレージ部１３に格納されている処理履歴情報のうち、当該受け入れた履歴選択条件を満足するものを選択して、そのリストを生成し、出力対象画像選択部３２に出力する。ここで履歴選択条件は、例えば、画像処理指示の入力日時が、指定した期間（例えば「最近１週間」など）に含まれるとの条件や、処理種別に関わる条件（「複写処理」等）などがある。
【００３２】
またこのレポート画像生成部３３は、生成したリストに含まれる処理履歴情報を配列してレポート画像を生成する。さらにレポート画像生成部３３は、出力対象画像選択部３２からの指示に従い、その一覧に含まれる処理履歴情報の少なくとも一部について、関連づけられている保存用画像に基づく画像をレポート画像に含める。
【００３３】
例えば、レポート画像としては、図４に例示したように、生成したリストに含まれる処理履歴情報の各情報（処理の種別、指示が入力された日時、利用者などの情報）を配列したものとしてもよい。また、画像を含める場合、含める画像に関連する処理履歴情報に隣接して配置する（Ｐ）こととしてもよい。この場合には、保存用画像によって示される画像を縮小処理して配置することとなる。また、複数のページからなる場合には、その先頭ページなど予め定められたページの画像を抽出してレポート画像に含めてもよいし、ページ数以下の整数の乱数値を発生させ、当該乱数値で表されるページの画像を抽出してレポート画像に含めてもよい。なお、予め定められたページの画像を抽出する場合、処理種別によってどのページの画像を抽出するかを定めてもよい。具体的な例としてファクシミリによる送信または受信の画像処理指示を受けた場合に、当該ファクシミリの送受信に係る保存用画像については、先頭ページに表紙（送付状）が含まれることが多いことに鑑み、２ページ目を抽出することとしてもよいし、乱数値の範囲も２ページ目から最後のページまでとしてもよい。また抽出するページを管理者などが予め指定できるようにしておき、当該指定の内容を記憶部１２に格納しておいてもよい。この場合、レポート画像に保存用画像によって表される画像のうち、指定されたページの画像を含めて出力する。なお、含めるページは１ページ分でなくともよく、例えば管理者から出力の対象となるページ範囲の指定を受けて記憶しておき、当該ページ範囲に含まれる複数のページを抽出してレポート画像に含めてもよい。
【００３４】
また別のレポート画像としては、図５に例示するように、レポート画像に含めるとされた画像については、一枚の用紙全体に表示し、その外周部分に関連する処理履歴情報の少なくとも一部を表示（Ｂ）したものとしてもよい。
【００３５】
レポート画像生成部３３は、そして生成したレポート画像を、例えばプリンタ部１６に出力して、印刷出力させる。
【００３６】
なお、レポートに含めて出力する対象になる画像を選択する条件（出力対象画像選択条件）は、例えば、認証された利用者による指示に基づく画像処理に関する保存用画像であるか否かの条件を含んでもよい。認証された利用者の指示に関連する保存用画像をレポート画像に含める対象とし、ゲストユーザの指示に関連する保存用画像をレポート画像に含めないこととしてもよい。また、ゲストユーザの指示に基づく画像処理に関連する保存用画像をレポート画像に含め、認証された利用者の指示に基づく画像処理に関連する保存用画像をレポート画像に含めないこととしてもよい。
【００３７】
また、出力を制限するべき画像を、予め出力制限画像として、記憶部１２に保持させておき、この出力制限画像と保存用画像との関係（一致するか否か、又は所定値以上の類似度を有するか否か）によって、保存用画像の内容をレポート画像に含めるか否かを判断してもよい。
【００３８】
例えば履歴選択条件を満足するものとして選択された処理履歴情報の各々について、関連する保存用画像を比較の対象として選択する。そして当該選択した比較の対象と、予め設定されている出力制限画像の各々とを比較する。ここで、比較の対象となった保存用画像が、出力制限画像のいずれかと同一または類似すると判断された場合に、当該比較の対象となった保存用画像を選択的にレポート画像に含めないよう制御してもよい。
【００３９】
また逆に、比較の対象となった保存用画像が、出力制限画像のいずれかと同一または類似すると判断された場合に、当該比較の対象となった保存用画像を選択的にレポート画像に含めるよう制御してもよい。
【００４０】
なお、保存用画像と、出力制限画像との比較の処理については、広く知られている画像間の類似性を判断する処理（抽出される線分の同一性を判断する方法や、色を用いる方法など）を適宜利用できるので、ここでの詳細な説明を省略する。ここで類似度を段階的に（例えば数値により）評価可能な処理であれば、予め類似度のしきい値を管理者が設定できるようにしておき、当該しきい値を超える類似度となる保存用画像を出力制限画像であるとしてもよい。
【００４１】
同一または類似すると判断される出力制限画像との差分を表す画像を生成し、この差分の画像を併せてレポート画像に含めてもよい。
【００４２】
また、ここで出力制限画像として、画像そのものを設定する例を述べたが、例えば特定の画像が含まれている場合に、出力制限画像とすることとしてもよい。例えば、指定された帳票のフォームなどと同様の線分が含まれる保存用画像を出力制限画像であると判断してもよい。
【００４３】
さらに光学的文字認識処理（ＯＣＲ処理）を用いて、保存用画像に含まれる文字列を抽出し、当該文字列に、指定された指定文字列（キーワード）が含まれる場合に当該保存用画像を、出力制限画像であるとしてもよい。
【００４４】
レポート画像生成部３３は、利用者から履歴選択条件を受け入れて、ストレージ部１３に格納されている処理履歴情報のうち、当該受け入れた履歴選択条件を満足するものを選択して、そのリストを生成し、出力対象画像選択部３２に出力する。ここで履歴選択条件は、例えば、画像処理指示の入力日時が、指定した期間（例えば「最近１週間」など）に含まれるとの条件などがある。
【００４５】
またレポート画像生成部３３は、処理履歴情報の一覧を表すレポート画像を生成するとともに、出力対象画像選択部３２からの指示に従い、その一覧に含まれる処理履歴情報の少なくとも一部について、関連づけられている保存用画像に基づく画像をレポート画像に含める。レポート画像生成部３３は、こうして生成したレポート画像を、例えばプリンタ部１６に出力して、印刷出力させる。
【００４６】
ここまでの説明では、生成したレポート画像をプリンタ部１６に出力することとしていたが、レポート画像は、ディスプレイに出力されてもよい。この場合、レポート画像を例えばＨＴＭＬ（Hyper Text Markup Language）文書として生成してもよい。そしてレポート画像に含めるべき保存用画像については、それによって表される画像を縮小処理してサムネイル画像を生成し、レポート画像であるＨＴＭＬ文書に含めるとともに、当該サムネイル画像に対し、縮小処理前の画像データ（つまり保存用画像）へのリンクを設定して、ウェブブラウザを介して提供してもよい。この場合、ウェブブラウザの操作によって、閲覧者がサムネイル画像をクリックする等の操作を行うと、元の保存用画像が表示されることとなる。
【００４７】
また、ここでは保存用画像は、ストレージ部１３に格納されるものとして説明したが、保存用画像は、図示しない外部のファイルサーバへ送信されて保持されてもよい。この場合、履歴情報処理装置１は、レポート画像に含めるべき処理履歴情報を選択したときに、当該選択した処理履歴情報に関連づけられた保存用画像をサーバから取得し、取得した保存用画像の各々を、レポート画像に含めるか否かを判断することとすればよい。
【００４８】
さらに、ストレージ部１３に格納されている保存用画像の一部を、外部のファイルサーバへ送信して保持させる場合、履歴情報処理装置１は、レポート画像に含めるべき処理履歴情報を選択したときに、当該選択した処理履歴情報のうち、関連づけられた保存用画像がファイルサーバに格納されているものについては、当該保存用画像をサーバから取得し、また、ストレージ部１３に格納されているものについては、当該保存用画像をストレージ部１３から読み出して取得する。そして、取得した保存用画像の各々を、レポート画像に含めるか否かを判断することとすればよい。
【００４９】
レポート要求者を認証し、予め定められた利用者であるか否かによって、出力対象画像選択条件を異ならせてもよい。例えばレポート要求者が管理者である場合は、レポート画像に含まれる処理履歴情報に関連づけられたすべての保存用画像を、レポート画像に含めてもよい。
【００５０】
本実施の形態の履歴情報処理装置１は、以上の構成を有してなるので、例えば次のように動作する。管理者は、予め出力を制限したい画像（出力制限画像）を登録しておく。この出力制限画像の登録は、例えば保存用画像のうちから選択することによって行ってもよいし、スキャナ部１５にて出力制限画像となる画像を読み取らせて登録を行ってもよい。
【００５１】
履歴情報処理装置１は、読み取り（スキャン）、複写、印刷の指示を受けたときに、処理の指示や、指示を行った利用者を特定する情報や、指示が入力された日時を処理履歴情報として記録するとともに、処理の対象となった画像データを保存用画像として生成し、処理履歴情報に関連づけて記録する。
【００５２】
レポート要求者は、例えば期間を指定して、当該指定した期間に係る履歴情報のレポートの生成を履歴情報処理装置１に指示する。履歴情報処理装置１は、指定された期間に入力された指示に基づく処理履歴情報を抽出する。そして履歴情報処理装置１は、抽出した各処理履歴情報に関連づけられた保存用画像を取り出す。
【００５３】
履歴情報処理装置１は、取り出した保存用画像のそれぞれを順次、比較の対象とし、当該比較の対象となった保存用画像と、登録された出力制限画像の各々とを比較する。そして、比較の対象となった保存用画像が、いずれかの出力制限画像に対して、予め定められた類似率以上で類似すると判断される場合に、当該比較の対象となった保存用画像をレポート画像に含める保存用画像として、記憶部１２に格納する。
【００５４】
履歴情報処理装置１が、取り出した保存用画像のそれぞれに含まれる保存用画像についてこの処理を行うことで、当該保存用画像のうち、出力制限画像のいずれかに類似する保存用画像が選択的に、レポート画像に含めるべきものとして抽出される。
【００５５】
履歴情報処理装置１は、抽出した処理履歴情報を一覧としてレイアウトしたレポート画像を生成し、さらに、レポート画像に含めるべきとして抽出された保存用画像が表す画像を、縮小処理し、関連づけられた処理履歴情報とともにレイアウトしてレポート画像に合成する。なお、このとき類似率の値を表す文字列を併せて合成してもよい。
【００５６】
レポート要求者は、レポート画像に含まれる類似率の値や、レポート画像に合成された保存用画像の画像を参照して、出力制限画像として登録された画像が、複写等されていないかを確認する。
【００５７】
なお、履歴情報処理装置１は、さらに、処理履歴情報を特定する情報（例えば指示を受け入れるごとに発行される固有の識別子（ジョブ識別子）など）の入力を受けて、当該情報で特定される処理履歴情報を取り出し、また、当該取り出した処理履歴情報に関連づけて記録されている保存用画像を取り出して、取り出した処理履歴情報の内容と、保存用画像の内容とを、詳細レポートとして出力してもよい。このようにすれば、レポート要求者が縮小された画像データから判断しにくい場合にも、当該画像データに関わる処理履歴情報を特定する情報をキーとして、詳細レポートを得ることができ、出力制限画像が、処理の対象となったか否かや、処理の対象とした利用者、その日時などを知ることができるようになる。
【図面の簡単な説明】
【００５８】
【図１】本発明の実施の形態に係る履歴情報処理装置の構成例及び接続例を表すブロック図である。
【図２】本発明の実施の形態に係る履歴情報処理装置の例を表す機能ブロック図である。
【図３】本発明の実施の形態に係る履歴情報処理装置に蓄積される履歴情報の例を表す説明図である。
【図４】本発明の実施の形態に係る履歴情報処理装置が出力するレポート画像の例を表す説明図である。
【図５】本発明の実施の形態に係る履歴情報処理装置に出力するレポート画像の別の例を表す説明図である。
【符号の説明】
【００５９】
１  履歴情報処理装置、２  ユーザ側装置、１１  制御部、１２  記憶部、１３  ストレージ部、１４  操作部、１５  スキャナ部、１６  プリンタ部、１７  通信部、２１  処理履歴情報生成部、２２  保存用画像生成部、２３  データベースアクセス部、２４  レポート生成処理部、３１  画像出力条件設定部、３２  出力対象画像選択部、３３  レポート画像生成部。
【図１】
2008060717.tif 000003
【図２】
2008060717.tif 000004
【図３】
2008060717.tif 000005
【図４】
2008060717.tif 000006
【図５】
2008060717.tif 000007